(57)【特許請求の範囲】
【請求項１】
容器内に収容された液状化粧料を中継芯を介して容器先端に配置された塗布体に送り当該塗布体により前記液状化粧料を塗布する塗布体付き化粧料容器であって、
前記塗布体は、前記容器先端の前記液状化粧料の出口に回転可能に配置され、前記中継芯に接触する円盤状の塗布体であり、
前記円盤状の塗布体は、円環状の外周部と、当該外周部より内周側の空間部と、を有することを特徴とする塗布体付き化粧料容器。
【請求項２】
前記円盤状の塗布体は、その外周面に、周方向に沿って液溜まり用の溝を環状に備えることを特徴とする請求項１記載の塗布体付き化粧料容器。
【請求項３】
前記塗布体と前記中継芯との間に、前記中継芯より柔らかい第２の中継芯が介在していることを特徴とする請求項１又は２に記載の塗布体付き化粧料容器。
【発明の詳細な説明】
【技術分野】
【０００１】
本発明は、塗布体付き化粧料容器に関する。
【背景技術】
【０００２】
従来、アイライナーを描く塗布具として、以下の特許文献１のものが知られている。この塗布具では、容器内にアイライナー液を含浸させた中綿が収容され、ポリエステル繊維等をウレタン樹脂等で固めた筆先のその後端部が中綿に差し込まれると共に、当該筆先の中心位置に軸線方向に沿って貫通孔が形成され、この貫通孔内に、合成樹脂から成る糸材を束ねて形成した糸状部材（塗布体）が集束されると共に、この糸状部材の先端が容器外へ所定長突出する構成とされている。そして、この塗布具では、中綿に含浸されたアイライナー液が糸状部材を介して当該糸状部材の尖った先端に伝わり、この尖った先端により瞼に細い線のアイラインを描くことができるようになっている。
【先行技術文献】
【特許文献】
【０００３】
【特許文献１】特許第４３９２８４７号公報
【発明の概要】
【発明が解決しようとする課題】
【０００４】
しかしながら、このように尖った先端でアイラインを引くと、先端が瞼に引っ掛かることがあり、皮膚が引っ張られ良好な使用感が得られないと共に、線が飛び飛びになって綺麗に描けないという問題がある。
【０００５】
そこで、本発明は、皮膚が引っ張られることがなく使用感を向上できると共に、線が飛び飛びになることがなく線を綺麗に描くことができる塗布体付き化粧料容器を提供することを目的とする。
【課題を解決するための手段】
【０００６】
本発明による塗布体付き化粧料容器は、容器内に収容された液状化粧料を中継芯を介して容器先端に配置された塗布体に送り当該塗布体により液状化粧料を塗布する塗布体付き化粧料容器であって、塗布体は、容器先端の液状化粧料の出口に回転可能に配置され、中継芯に接触する円盤状の塗布体であり、円盤状の塗布体は、円環状の外周部と、当該外周部より内周側の空間部と、を有することを特徴としている。
【０００７】
このような塗布体付き化粧料容器によれば、塗布体が、容器内の液状化粧料を送り出す中継芯に接触すると共に容器先端の液状化粧料の出口に配置され、この塗布体が円盤状を成し塗布の際に回転して線を描く。すなわち、塗布の際に円盤状の塗布体が回転するため、従来生じていた引っ掛かりが抑止され、その結果、皮膚が引っ張られることがなく使用感を向上できると共に、線が飛び飛びになることがなく線を綺麗に描くことができる。
また、円環状の外周部より内周側の空間部には液状化粧料が付着しないため、塗布の際に塗布体が皮膚に沈み込む（めり込む）場合でも、皮膚に塗布される液状化粧料は、円環状の外周部の液状化粧料のみであり、従って、ばらつきのない所望の一定太さの線（一定で細い線）を常に描くことができる。
【０００９】
また、円盤状の塗布体は、その外周面に、周方向に沿って液溜まり用の溝を環状に備えていると、塗布の際に、液溜まり用の溝により液状化粧料の含みが良く、その結果、線を一層綺麗に描くことができる。
【００１１】
また、塗布体と中継芯との間に、中継芯より柔らかい第２の中継芯が介在していると、第２の中継芯が適度な力で常に塗布体に接触し、当該塗布体の回転を妨げることなく、液状化粧料を塗布体に確実に転写できる。
【発明の効果】
【００１２】
このように本発明によれば、皮膚が引っ張られることがなく使用感を向上できると共に、線が飛び飛びになることがなく線を綺麗に描くことができる塗布体付き化粧料容器を提供できる。
【図面の簡単な説明】
【００１３】
【図１】本発明の第１参考形態に係る塗布体付き化粧料容器の外観を示す斜視図である。
【図２】図１の状態からキャップを取り外した状態を示す斜視図である。
【図３】図１に示す塗布体付き化粧料容器の縦断斜視図である。
【図４】図３中の要部の縦断面図である。
【図５】図４中の塗布体の斜視図である。
【図６】図５に示す塗布体の側面図である。
【図７】本発明の第２参考形態に係る塗布体付き化粧料容器の要部を示す縦断面図である。
【図８】本発明の第３参考形態に係る塗布体付き化粧料容器を示す一部破断斜視図である。
【図９】図８中の樹脂バネ付き先筒及び中継芯を示す一部破断斜視図である。
【図１０】図９中の樹脂バネ付き先筒を示す斜視図である。
【図１１】本発明の第４参考形態に係る塗布体付き化粧料容器の塗布体を示す斜視図である。
【図１２】図１１に示す塗布体の側面図である。
【図１３】本発明の第１実施形態に係る塗布体付き化粧料容器の塗布体を示す斜視図である。
【図１４】図１３に示す塗布体の側面図である。
【図１５】本発明の第５参考形態に係る塗布体付き化粧料容器の塗布体を示す斜視図である。
【図１６】図１５に示す塗布体の側面図である。
【発明を実施するための形態】
【００１４】
以下、本発明による塗布体付き化粧料容器の好適な実施形態及び参考形態について図１〜図１６を参照しながら説明する。図１〜図６は、本発明の第１参考形態を、図７は、本発明の第２参考形態を、図８〜図１０は、本発明の第３参考形態を、図１１及び図１２は、本発明の第４参考形態を、図１３及び図１４は、本発明の第１実施形態を、図１５及び図１６は、本発明の第５参考形態を各々示すものである。
【００１５】
先ず、図１〜図６に示す第１参考形態を説明する。図１〜図４は、第１参考形態に係る塗布体付き化粧料容器を示す各図、図５及び図６は、塗布体を示す各図である。
【００１６】
本参考形態の塗布体付き化粧料容器は、液状化粧料を被塗布部である皮膚等に塗布する際に用いられるものであり、特に、アイライナーのように瞼に細い線を描いたり、アイブロウのように眉毛の細い線を描くのに好適なものである。
【００１７】
図１〜図３に示すように、塗布体付き化粧料容器１００は、容器外郭を構成する容器本体１及び先筒２と、容器本体１内に収容された中綿３と、容器本体１及び先筒２内に収容された中継芯４と、先筒２の先端に装着された塗布体５と、を概略備える。
【００１８】
容器本体１は、例えばＰＰ等から形成され、先細の段付き円筒状に構成される。図３に示すように、容器本体１の段差部１ａより後側の筒孔は、液状化粧料を収容するための収容部１ｂとされ、この収容部１ｂに、液状化粧料を含浸した中綿３が充填される。中綿３は、アジャスター６によりそのサイズが調節可能とされている。そして、容器本体１の後端の開口は、尾栓７を容器本体１に装着することにより、閉じられている。
【００１９】
先筒２は、例えばＰＰ等から形成され、図２〜図４に示すように、後半部２ａが円筒状に構成されると共に、これより前側が扁平筒状部２ｂとされている。この扁平筒状部２ｂは、後半部２ａに対し段差部２ｃを介して外面が拡径されて横断面（軸線方向に直交する断面）略長方形の４角筒形状を呈すると共に、この横断面４角筒形状の長径側及び短径側の外面の両方が先端へ行くに従い多少内側に湾曲しながら小さくなっていく先細り形状とされている。この扁平筒状部２ｂの扁平な筒孔と後半部２ａの円形の筒孔とは、扁平な筒孔の長径側の径と円形の筒孔の径とが一致し（図３参照）、扁平な筒孔の短径側の径は段差を介して円形の筒孔の径より小さくされている（図４参照）。
【００２０】
また、図２及び図４に示すように、先筒２の先端の開口２ｘが液状化粧料の出口とされ、開口縁の短径側（図４の上下方向）に、長径側（図４の紙面垂直方向）の開口縁２ｄよりも前方に突出する突出部２ｅを、一対対向して備える。この突出部２ｅには、塗布体５を回転可能に支持するための支持穴２ｆが短径方向に貫くようにそれぞれ設けられている。
【００２１】
そして、先筒２は、円筒状の後半部２ａが、容器本体１の円筒状の先端部の筒内に進入し、その段差部２ｃが容器本体１の先端面に突き当たり、この状態で、容器本体１に回転不能且つ軸線方向移動不能に装着される。また、この状態で、容器本体１の筒孔と先筒２の筒孔は連通した状態にある。
【００２２】
中継芯４は、例えばやポリエステルやナイロン等を糊で固めて研磨したもので、軸線方向に延在している。図３及び図４に示すように、中継芯４は、容器本体１及び先筒２の筒孔内に配置され、その後端側の部分が中綿３に差し込まれると共に、その先端側の部分が、先筒２の先端の開口２ｘへ向かうように延びている。この中継芯４は、毛細管現象により中綿３の液状化粧料を吸い上げ当該中継芯４の先端へ供給する。
【００２３】
塗布体５は、例えばＰＯＭ等から形成され、図５及び図６に示すように、円盤状に構成される。この円盤状の塗布体５は、ここでは、凸レンズ状とされ、中心軸の位置に、その外面から軸線方向外側へ突出する軸部５ａをそれぞれ備える。
【００２４】
なお、塗布体５は、第１参考形態及び後述の第２〜第５参考形態、第１実施形態において、皮膚への塗布の際に痛くないように、その塗布面となる外周面５ｂが先鋭ではなく、Ｒ状の丸味を帯びた形状とされている。
【００２５】
円盤状の塗布体５は、図４に示すように、先筒２の対向する突出部２ｅ，２ｅ同士を短径方向に多少押し広げながら、突出部２ｅ，２ｅ同士間に押し込まれ、その軸部５ａ，５ａが先筒２の支持穴２ｆ，２ｆに進入することで、先筒２の先端部に回転可能に支持される。そして、円盤状の塗布体５は、その外周面５ｂが、中継芯４の先端面４ａに適度な力で接触した状態にある。また、塗布体５の軸部５ａを除く厚みと中継芯４の先端の幅とは略同一とされており、容器のコンパクト化が図られている。
【００２６】
なお、塗布体５を、中心軸と当該中心軸以外の円盤部分との２部品とし、中心軸以外の円盤部分に中心軸を嵌着して一体化するように構成しても良い。この場合、中心軸を例えばＰＯＭ等から形成し、円盤部分をナイロンやポリエステル等から形成する構成が挙げられる。
【００２７】
そして、容器先端には、図１及び図３に示すように、塗布体５等を保護するための有底円筒形状のキャップ１０が着脱自在に装着される。キャップ１０内には、さらに内キャップ１０ａが設けられ、これらのキャップ１０及び内キャップ１０ａは、例えばＰＰ等から形成される。内キャップ１０ａは、有底円筒形状の収容部１０ｂを有し、キャップ１０が容器本体１の先端に装着されたときに、収容部１０ｂ内に円盤状の塗布体５を収容する。この収容部１０ｂは、キャップ１０内の空間を埋めて空気残量を少なくし揮発を抑えるのに寄与する。そして、キャップ１０を容器本体１の先端に装着しキャップ１０と容器本体１の先端とが嵌合することにより、容器内の気密が保たれる。
【００２８】
このように構成された塗布体付き化粧料容器１００にあっては、中綿３に含浸された液状化粧料は、毛細管現象により中継芯４を通してその先端面４ａに送り出され、先端面４ａに接触している塗布体５の外周面５ｂに転写される。
【００２９】
この状態で、例えばアイライナーやアイブロウのように皮膚に細い線を描く場合には、塗布体５を皮膚に押し当てた状態で、例えば筆で描くように塗布体付き化粧料容器１００を皮膚に沿って移動させる。
【００３０】
すると、円盤状の塗布体５が回転し、この回転する塗布体５により液状化粧料が皮膚に転写され細い線が描かれる。
【００３１】
このように、本参考形態においては、塗布体５が、容器内の液状化粧料を送り出す中継芯４に接触すると共に容器先端の液状化粧料の出口２ｘに配置され、この塗布体５が円盤状を成し塗布の際に回転して線を描く、すなわち、塗布の際に円盤状の塗布体５が回転するため、従来生じていた引っ掛かりが抑止され、その結果、皮膚が引っ張られることがなく使用感を向上できると共に、線が飛び飛びになることがなく線を綺麗に描くことができる。
【００３２】
また、円盤状の塗布体５が凸レンズ状のため、アイライナーやアイブロウ等の細い線を好適に描くことができる。
【００３３】
図７は、本発明の第２参考形態に係る塗布体付き化粧料容器の要部を示す縦断面図である。
【００３４】
この第２参考形態の塗布体付き化粧料容器２００が、第１参考形態の塗布体付き化粧料容器１００と違う点は、塗布体５と中継芯４との間に、中継芯４より柔らかい第２の中継芯８を介在させた点である。この第２の中継芯８は、中継芯４より柔らかい材質から成り、ここでは、例えばスポンジとされている。
【００３５】
このような第２参考形態によれば、塗布体５と中継芯４との間に、中継芯４より柔らかい第２の中継芯８が介在しているため、第２の中継芯８が適度な力で常に塗布体５に接触し、当該塗布体５の回転を妨げることなく、液状化粧料を塗布体５に確実に転写できる。
【００３６】
図８は、本発明の第３参考形態に係る塗布体付き化粧料容器を示す一部破断斜視図、図９は、図８中の樹脂バネ付き先筒及び中継芯を示す一部破断斜視図、図１０は、図９中の樹脂バネ付き先筒を示す斜視図である。
【００３７】
この第３参考形態の塗布体付き化粧料容器３００が、第１参考形態の塗布体付き化粧料容器１００と違う点は、第１参考形態の先筒２に代えて、樹脂バネ付き先筒２２を用いた点である。
【００３８】
樹脂バネ付き先筒２２は、第１参考形態の先筒２の後端から樹脂バネ１２が後方へ延びる構成であり、例えばＰＰ等による一体成形品である。樹脂バネ１２は、螺旋状のスリット１２ａを備え二条螺子状に構成されている。そして、この第３参考形態では、図９に示すように、中継芯４の後部の外周面が、段差部４ｂを介して前側より拡径されており、この拡径された外周面に、樹脂バネ１２の後端部の内周面が固着されている。
【００３９】
このような第３参考形態によれば、樹脂バネ１２が中継芯４を前方へ付勢し当該中継芯４の先端面４ａを塗布体５の外周面５ｂに押し当てるため、中継芯４が適度な力で常に塗布体５に接触し、当該塗布体５の回転を妨げることなく、液状化粧料を塗布体５に確実に転写できる。
【００４０】
なお、樹脂バネ１２と同様な作用を奏すれば、樹脂バネ１２以外の弾性体を用いても勿論良い。
【００４１】
図１１は、本発明の第４参考形態に係る塗布体付き化粧料容器の塗布体を示す斜視図、図１２は、図１１に示す塗布体の側面図である。
【００４２】
この第４参考形態の塗布体１５が、第１参考形態の塗布体５と違う点は、円盤状の塗布体の外周面に、周方向に沿って液溜まり用の溝１５ｂを環状に備えた点である。
【００４３】
このような第４参考形態によれば、塗布の際に、液溜まり用の溝１５ｂより液状化粧料の含みが良く、その結果、線を一層綺麗に描くことができる。
【００４４】
図１３は、本発明の第１実施形態に係る塗布体付き化粧料容器の塗布体を示す斜視図、図１４は、図１３に示す塗布体の側面図である。
【００４５】
この第１実施形態の塗布体２５が、第１参考形態の塗布体５と違う点は、円盤状の塗布体が、円環状（リング状）の外周部２５ａと、当該外周部２５ａより内周側の空間部２５ｂと、を備えた点である。
【００４６】
空間部２５ｂは、軸部５ａを有する円柱状の中央部２５ｃに対して、円環状の外周部２５ａを、周方向に離間する複数（ここでは３個）の支持リブ２５ｄで支持させる構成とすることで、支持リブ２５ｄ，２５ｄ同士の間に形成されている。
【００４７】
このような第１実施形態によれば、円環状の外周部２５ａより内周側の空間部２５ｂには液状化粧料が付着しないため、塗布の際に塗布体２５が皮膚に沈み込む（めり込む）場合でも、皮膚に塗布される液状化粧料は、円環状の外周部２５ａに転写された液状化粧料のみであり、従って、ばらつきのない所望の一定太さの線（一定で細い線）を常に描くことができる。
【００４８】
なお、支持リブ２５ｄは、円環状の外周部２５ａより軸線方向内側にへこみ（図１３の上下方向にへこみ）逃げているため、この支持リブ２５ｄに液状化粧料が付着することはない。
【００４９】
因みに、参考形態として、円盤状の塗布体に空間部２５ｂを設けず、円環状の外周部２５ａより内周側の部分の軸線方向厚さを、円環状の外周部２５ａの軸線方向厚さより薄くした（軸線方向内側にへこませた）塗布体としても良い。このような構成を採用した場合、円環状の外周部２５ａより内周側の部分が、上記支持リブ２５ｄと同様に、外周部２５ａに対して軸線方向内側にへこみ逃げているため、塗布の際に塗布体が皮膚に沈み込む場合でも、皮膚に塗布される液状化粧料は、円環状の外周部２５ａの液状化粧料のみであり、従って、図１３及び図１４に示す塗布体２５と同様に、ばらつきのない所望の一定太さの線を常に描くことができる。
【００５０】
図１５は、本発明の第５参考形態に係る塗布体付き化粧料容器の塗布体を示す斜視図、図１６は、図１５に示す塗布体の側面図である。
【００５１】
この第５参考形態の塗布体３５が、第１参考形態の塗布体５と違う点は、円盤状の塗布体の外周面５ｂに、周方向に沿って凹部３５ｃ、凸部３５ｄが連続する凹凸部３５ｂを設けた点である。
【００５２】
このような第５参考形態によれば、塗布体３５の凹凸部３５ｂに液状化粧料が付着し、特に凹部３５ｃに睫毛が入り込むため、睫毛と睫毛との間に凸部３５ｄにより液状化粧料を塗布するのが容易である。
【００５３】
以上、本発明をその実施形態に基づき具体的に説明したが、本発明は上記実施形態に限定されるものではなく、例えば、上記実施形態においては、液状化粧料を含浸した中綿３を容器本体１内に収容し、液状化粧料を中綿３から中継芯４を介して塗布体５，１５，２５に供給する中綿式を採用しているが、中綿３がなく液状化粧料を容器本体１内に直接充填し蛇腹構造により液状化粧料の流量をコントロールしながら中継芯４を介して塗布体５，１５，２５に供給する直液式を採用しても良い。この蛇腹構造の場合、中継芯４として、例えばアクリル樹脂等を用いることができる。
【００５４】
また、上記実施形態においては、容器本体１と先筒２を別部品としているが、一体品の容器としても勿論良い。
【符号の説明】
【００５５】
１…容器本体、２，２２…先筒、４…中継芯、５，１５，２５，３５…塗布体、８…第２の中継芯、１５ｂ…液溜まり用の溝、２５ａ…円環状の外周部、２５ｂ…空間部、１００，２００，３００…塗布体付き化粧料容器。
【要約】
【課題】皮膚が引っ張られることがなく使用感を向上できると共に、線が飛び飛びになることがなく線を綺麗に描くことができる塗布体付き化粧料容器を提供する。
【解決手段】塗布体５を、容器内の液状化粧料を送り出す中継芯４に接触させると共に容器先端の液状化粧料の出口２ｘに配置し、この塗布体５を円盤状に構成し塗布の際に回転させることで、従来生じていた引っ掛かりを抑止しながら皮膚に細い線を描くことを可能とする。その結果、皮膚が引っ張られることがなく使用感を向上できると共に、線が飛び飛びになることがなく線を綺麗に描くことができる。
【選択図】図４【図１】
0005566518.tif 000002
【図２】
0005566518.tif 000003
【図３】
0005566518.tif 000004
【図４】
0005566518.tif 000005
【図５】
0005566518.tif 000006
【図６】
0005566518.tif 000007
【図７】
0005566518.tif 000008
【図８】
0005566518.tif 000009
【図９】
0005566518.tif 000010
【図１０】
0005566518.tif 000011
【図１１】
0005566518.tif 000012
【図１２】
0005566518.tif 000013
【図１３】
0005566518.tif 000014
【図１４】
0005566518.tif 000015
【図１５】
0005566518.tif 000016
【図１６】
0005566518.tif 000017